(57)【要約】【課題】ピンポン効果およびデータのロスを抑えることが可能となる無線端末およびハンドオーバ制御方法を提供する。【解決手段】セル方式の無線システムの一部を構成する無線端末において、通信用セルの受信品質が良好である場合、前記無線システムにおける各セルの受信品質を測定する測定部と、前記測定部が前記無線システムにおける全てのセルの受信品質を測定すると、今回の測定結果の前回の測定結果からの変化量に基づきセルリストを並び替えてセルリストを更新するセルリスト更新部と、通信用セルの受信品質が良好でない場合、セルリストに従い受信品質を測定し受信品質が適正レベルとなるセルを探索する探索部と、前記探索部により探索されたセルに通信用セルを切替える切替部と、を備えている。【選択図】図１
2010074390.tif 000002
【特許請求の範囲】
【請求項１】
セル方式の無線システムの一部を構成する無線端末において、
通信用セルの受信品質が良好である場合、前記無線システムにおける各セルの受信品質を測定する測定部と、
前記測定部が前記無線システムにおける全てのセルの受信品質を測定すると、今回の測定結果の前回の測定結果からの変化量に基づきセルリストを並び替えてセルリストを更新するセルリスト更新部と、
通信用セルの受信品質が良好でない場合、セルリストに従い受信品質を測定し受信品質が適正レベルとなるセルを探索する探索部と、
前記探索部により探索されたセルに通信用セルを切替える切替部と、を備えたことを特徴とする無線端末。
【請求項２】
前記測定部は、測定開始時刻以降になると測定を開始し、
前記測定部が前記無線システムにおける全てのセルの受信品質を測定すると、今回の測定結果の前回の測定結果からの変化量に基づき測定間隔時間を決定し、決定された測定間隔時間だけ現状の測定開始時刻から経過した時刻を新たな測定開始時刻とする測定開始時刻決定部を備えることを特徴とする請求項１に記載の無線端末。
【請求項３】
前記測定部は、測定開始時刻以降になると測定を開始し、
前記測定部が前記無線システムにおける全てのセルの受信品質を測定すると、測定結果に基づき無線信号送信位置からの無線端末の距離を推定し、推定された距離に応じた測定間隔時間だけ現状の測定開始時刻から経過した時刻を新たな測定開始時刻とする測定開始時刻決定部を備えることを特徴とする請求項１に記載の無線端末。
【請求項４】
無線信号に基づく信号を復調する復調部を備え、前記測定部の測定のときに前記復調部が復調をできなかった場合、前記測定部は、復調ができなかったセルについての次回測定を行わないことを特徴とする請求項１〜請求項３のいずれかに記載の無線端末。
【請求項５】
無線信号に基づく信号を復調する復調部を備え、前記測定部の測定のときに前記復調部が復調をできなかった場合、前記セルリスト更新部は、復調ができなかったセルをセルリストの最後に配置してセルリストを更新することを特徴とする請求項１〜請求項４のいずれかに記載の無線端末。
【請求項６】
セル方式の無線システムの一部を構成する無線端末のためのハンドオーバ制御方法において、
通信用セルの受信品質が良好である場合、前記無線システムにおける各セルの受信品質を測定する測定ステップと、
前記測定ステップにより前記無線システムにおける全てのセルの受信品質が測定されると、今回の測定結果の前回の測定結果からの変化量に基づきセルリストを並び替えてセルリストを更新するセルリスト更新ステップと、
通信用セルの受信品質が良好でない場合、セルリストに従い受信品質を測定し受信品質が適正レベルとなるセルを探索する探索ステップと、
前記探索ステップにより探索されたセルに通信用セルを切替える切替ステップと、を含むことを特徴とするハンドオーバ制御方法。
【請求項７】
前記測定ステップは、測定開始時刻以降になると開始され、
前記測定ステップにより前記無線システムにおける全てのセルの受信品質が測定されると、今回の測定結果の前回の測定結果からの変化量に基づき測定間隔時間を決定し、決定された測定間隔時間だけ現状の測定開始時刻から経過した時刻を新たな測定開始時刻とする測定開始時刻決定ステップを含むことを特徴とする請求項６に記載のハンドオーバ制御方法。
【請求項８】
前記測定ステップは、測定開始時刻以降になると開始され、
前記測定ステップにより前記無線システムにおける全てのセルの受信品質が測定されると、測定結果に基づき無線信号送信位置からの無線端末の距離を推定し、推定された距離に応じた測定間隔時間だけ現状の測定開始時刻から経過した時刻を新たな測定開始時刻とする測定開始時刻決定ステップを含むことを特徴とする請求項６に記載のハンドオーバ制御方法。
【請求項９】
前記無線端末は、無線信号に基づく信号を復調する復調部を備え、
前記測定ステップの測定のときに前記復調部が復調をできなかった場合、次回の測定ステップでは、復調ができなかったセルについての測定を行わないことを特徴とする請求項６〜請求項８のいずれかに記載のハンドオーバ制御方法。
【請求項１０】
前記無線端末は、無線信号に基づく信号を復調する復調部を備え、
前記測定ステップの測定のときに前記復調部が復調をできなかった場合、前記セルリスト更新ステップでは、復調ができなかったセルをセルリストの最後に配置してセルリストを更新することを特徴とする請求項６〜請求項９のいずれかに記載のハンドオーバ制御方法。
【発明の詳細な説明】
【技術分野】
【０００１】
本発明は、無線端末およびハンドオーバ制御方法に関する。
【背景技術】
【０００２】
携帯可能な無線端末のための放送サービスに関する技術規格の一つとしてＤＶＢ−Ｈ（Ｄｉｇｉｔａｌ  Ｖｉｄｅｏ  Ｂｒｏａｄｃａｓｔｉｎｇ−Ｈａｎｄｈｅｌｄｓ）が定められている。ＤＶＢ−Ｈでは、基地局の設置につきセル方式が採用されており、基地局から各チャンネルのデータが時分割多重化により無線端末に送信される。同一チャンネルのデータ間では受信の必要がないので無線端末の受信部の電源をオフにし、無線端末の電力消費を抑えるようにしている。また、無線端末がセル間を移動すると現行の基地局からの電波が弱くなりそのままでは通信不良となるので、通信する基地局を切替えるいわゆるハンドオーバが行われる（例えば、特許文献１および非特許文献１を参照）。
【特許文献１】特表２００７−５２９９３９号公報
【非特許文献１】Xiaodong Yang、外２名、"A SURVEY OF HANDOVER ALGORITHMS IN DVB-H" 、IEEE Communications Surveys & Tutorials、4th Quarter 2006、Volume8、No.4、p.16-p.29
【発明の開示】
【発明が解決しようとする課題】
【０００３】
しかし、従来の無線端末では、同一チャンネルのデータ間の期間に現行のセル以外の各セルについて受信品質を測定し、最も受信品質の良好なセルへ切替えるハンドオーバを行っていたため、必要以上にセルを切替えてしまうことがあった。これはピンポン効果と呼ばれ、ピンポン効果は受信途切れ等の原因となり、なるべく抑えることが望ましい。また、同一チャンネルのデータ間の期間内に全てのセルの受信品質を測定できず、セルの切替えができないまま電波を受信し、データをロスしてしまうといった問題もあった。
【０００４】
上記問題点を鑑み、本発明は、ピンポン効果およびデータのロスを抑えることが可能となる無線端末およびハンドオーバ制御方法を提供することを目的とする。
【課題を解決するための手段】
【０００５】
上記目的を達成するために本発明の無線端末は、セル方式の無線システムの一部を構成する無線端末において、
通信用セルの受信品質が良好である場合、前記無線システムにおける各セルの受信品質を測定する測定部と、
前記測定部が前記無線システムにおける全てのセルの受信品質を測定すると、今回の測定結果の前回の測定結果からの変化量に基づきセルリストを並び替えてセルリストを更新するセルリスト更新部と、
通信用セルの受信品質が良好でない場合、セルリストに従い受信品質を測定し受信品質が適正レベルとなるセルを探索する探索部と、
前記探索部により探索されたセルに通信用セルを切替える切替部と、を備えた構成とした。
【０００６】
このような構成によれば、受信品質の変化量に基づきセルリストが並び替えられ、すなわち無線端末がより近づいていると考えられる無線信号送信部のセルの順にセルリストが並び替えられ更新され、通信用セルの受信品質が悪化すると、無線端末が最も近づいていると考えられる無線信号送信部のセルに通信用セルが切替えられるので、以降当分は受信品質が良好となり、必要以上に通信用セルが切替えられることが抑えられ、ピンポン効果を抑えることができる。また、受信品質が良好でなくなっても、すぐに通信用セルが切替えられるので、データのロスを抑えることができる。
【０００７】
また、本発明の無線端末は、上記構成において、前記測定部は、測定開始時刻以降になると測定を開始し、
前記測定部が前記無線システムにおける全てのセルの受信品質を測定すると、今回の測定結果の前回の測定結果からの変化量に基づき測定間隔時間を決定し、決定された測定間隔時間だけ現状の測定開始時刻から経過した時刻を新たな測定開始時刻とする測定開始時刻決定部を備える構成とした。
【０００８】
このような構成によれば、無線端末の移動速度に応じて、測定間隔を短くしてセルリストの更新を早めに行い、受信品質が悪化した場合でも通信用セルの切替えをすぐに行い、データのロスを抑えたり、測定間隔を長くして電力削減を優先させたりすることができる。
【０００９】
また、本発明の無線端末は、上記構成において、前記測定部は、測定開始時刻以降になると測定を開始し、
前記測定部が前記無線システムにおける全てのセルの受信品質を測定すると、測定結果に基づき無線信号送信位置からの無線端末の距離を推定し、推定された距離に応じた測定間隔時間だけ現状の測定開始時刻から経過した時刻を新たな測定開始時刻とする測定開始時刻決定部を備える構成とした。
【００１０】
このような構成によれば、無線端末の位置に応じて、測定間隔を短くしてセルリストの更新を早めに行い、受信品質が悪化した場合でも通信用セルの切替えをすぐに行い、データのロスを抑えたり、測定間隔を長くして電力削減を優先させたりすることができる。
【００１１】
また、本発明の無線端末は、上記構成において、無線信号に基づく信号を復調する復調部を備え、前記測定部の測定のときに前記復調部が復調をできなかった場合、前記測定部は、復調ができなかったセルについての次回測定を行わない構成とした。
【００１２】
また、本発明の無線端末は、上記構成において、無線信号に基づく信号を復調する復調部を備え、前記測定部の測定のときに前記復調部が復調をできなかった場合、前記セルリスト更新部は、復調ができなかったセルをセルリストの最後に配置してセルリストを更新する構成とした。
【００１３】
また、上記目的を達成するために本発明のハンドオーバ制御方法は、セル方式の無線システムの一部を構成する無線端末のためのハンドオーバ制御方法において、
通信用セルの受信品質が良好である場合、前記無線システムにおける各セルの受信品質を測定する測定ステップと、
前記測定ステップにより前記無線システムにおける全てのセルの受信品質が測定されると、今回の測定結果の前回の測定結果からの変化量に基づきセルリストを並び替えてセルリストを更新するセルリスト更新ステップと、
通信用セルの受信品質が良好でない場合、セルリストに従い受信品質を測定し受信品質が適正レベルとなるセルを探索する探索ステップと、
前記探索ステップにより探索されたセルに通信用セルを切替える切替ステップと、を含む構成とした。
【００１４】
このような構成によれば、受信品質の変化量に基づきセルリストが並び替えられ、すなわち無線端末がより近づいていると考えられる無線信号送信部のセルの順にセルリストが並び替えられ更新され、通信用セルの受信品質が悪化すると、無線端末が最も近づいていると考えられる無線信号送信部のセルに通信用セルが切替えられるので、以降当分は受信品質が良好となり、必要以上に通信用セルが切替えられることが抑えられ、ピンポン効果を抑えることができる。また、受信品質が良好でなくなっても、すぐに通信用セルが切替えられるので、データのロスを抑えることができる。
【００１５】
また、本発明のハンドオーバ制御方法は、上記構成において、前記測定ステップは、測定開始時刻以降になると開始され、
前記測定ステップにより前記無線システムにおける全てのセルの受信品質が測定されると、今回の測定結果の前回の測定結果からの変化量に基づき測定間隔時間を決定し、決定された測定間隔時間だけ現状の測定開始時刻から経過した時刻を新たな測定開始時刻とする測定開始時刻決定ステップを含む構成とした。
【００１６】
このような構成によれば、無線端末の移動速度に応じて、測定間隔を短くしてセルリストの更新を早めに行い、受信品質が悪化した場合でも通信用セルの切替えをすぐに行い、データのロスを抑えたり、測定間隔を長くして電力削減を優先させたりすることができる。
【００１７】
また、本発明のハンドオーバ制御方法は、上記構成において、前記測定ステップは、測定開始時刻以降になると開始され、
前記測定ステップにより前記無線システムにおける全てのセルの受信品質が測定されると、測定結果に基づき無線信号送信位置からの無線端末の距離を推定し、推定された距離に応じた測定間隔時間だけ現状の測定開始時刻から経過した時刻を新たな測定開始時刻とする測定開始時刻決定ステップを含む構成とした。
【００１８】
このような構成によれば、無線端末の位置に応じて、測定間隔を短くしてセルリストの更新を早めに行い、受信品質が悪化した場合でも通信用セルの切替えをすぐに行い、データのロスを抑えたり、測定間隔を長くして電力削減を優先させたりすることができる。
【００１９】
また、本発明のハンドオーバ制御方法は、上記構成において、前記無線端末は、無線信号に基づく信号を復調する復調部を備え、前記測定ステップの測定のときに前記復調部が復調をできなかった場合、次回の測定ステップでは、復調ができなかったセルについての測定を行わない構成とした。
【００２０】
また、本発明のハンドオーバ制御方法は、上記構成において、前記無線端末は、無線信号に基づく信号を復調する復調部を備え、前記測定ステップの測定のときに前記復調部が復調をできなかった場合、前記セルリスト更新ステップでは、復調ができなかったセルをセルリストの最後に配置してセルリストを更新する構成とした。
【発明の効果】
【００２１】
本発明の無線端末およびハンドオーバ制御方法によれば、ピンポン効果およびデータのロスを抑えることが可能となる。
【発明を実施するための最良の形態】
【００２２】
以下、本発明の実施形態について図面を参照して説明する。
【００２３】
図１は、ＤＶＢ−Ｈにおける無線システムを示す概略図である。サーバ１０１は、ネットワーク１０２を介して各セル１０３の親局１０３ａに放送データを供給し、親局１０３ａは無線出力を行う。セル１０３の内部でセル１０３の弱電界地域には、サブセル１０４が設けられる。サブセル１０４のリピータ１０４ａは、親局１０３ａが出力した電波を周波数変換して無線出力する。携帯可能な無線端末１０５は、セル１０３またはサブセル１０４の電波を受信復調して放送データを取得する。
【００２４】
図２は、本発明に係る無線端末の概略構成図である。本発明に係る無線端末は、アンテナ２０１と、受信部２０２と、ハンドオーバ制御部２０３と、電力制御部２０４とを備えている。なお、無線端末の他の構成要素は本発明に直接関係しないので図２では省略している。
【００２５】
アンテナ２０１は、電波を受信し高周波信号を受信部２０２に出力する。受信部２０２は、ハンドオーバ制御部２０３の選局制御によりアンテナ２０１からの高周波信号より選局周波数の信号を抽出し、抽出された信号をベースバンド信号に変換し、ベースバンド信号をハンドオーバ制御部２０３に出力する。また、受信部２０２は、受信信号強度指標（ＲＳＳＩ）値を検出しハンドオーバ制御部２０３に出力する。ハンドオーバ制御部２０３は、ベースバンド信号をデジタル復調しトランスポートストリームを取得する。また、ハンドオーバ制御部２０３は、デジタル復調で得られる誤り情報と、受信部２０２から得られるＲＳＳＩ値とから受信品質を算出する。
【００２６】
電力制御部２０４は、消費電力を削減するために、ハンドオーバ制御部２０３の指示により受信部２０２への電力供給の制御を行う。
【００２７】
図３は、ＤＶＢ−Ｈにおけるデータ伝送を示す図である。ＤＶＢ−Ｈでは、時分割多重化により放送データが伝送され、複数チャンネルの各データを時系列に並べたものが繰り返し伝送される。同一チャンネルのデータであるデータ３０１、３０２、３０３は一定期間毎に伝送される（データ３０１とデータ３０２の間およびデータ３０２とデータ３０３の間に実際には他チャンネルのデータが並ぶ）。データ３０１とデータ３０２の間の期間であるオフ期間３０４、データ３０２とデータ３０３の間の期間であるオフ期間３０５では、無線端末はデータ受信する必要がないので受信部の電源を切り電力消費を抑えることが可能である。また、このオフ期間に、無線端末は現行セルと異なる周波数のチューニングをすることにより、現行セルに隣接するセルの受信品質を確認することができ、ハンドオーバを実行できる。
【００２８】
図４は、セルの配置例を示す図である。セルＡ、セルＢ、セルＣ、セルＤ、セルＥは、隣接するセルと周波数が重ならないように一般的には格子状に配置され、各セルの周波数は隣接するセルの周波数と異なる。隣接しないセルＡとセルＤ等は同一の周波数としてもよい。また、サブセルａ１、ａ２、ａ３はセルＡの内部に設けられ、サブセルｂ１、ｂ２はセルＢの内部に設けられ、サブセルｃ１、ｃ２、ｃ３はセルＣの内部に設けられ、サブセルｄ１、ｄ２はセルＤの内部に設けられ、サブセルｅ１、ｅ２はセルＥの内部に設けられる。サブセルとその親セル（例えば、サブセルａ１、ａ２、ａ３とセルＡ）もまた周波数が異なる。
【００２９】
次に、本発明に係る無線端末における受信処理について図７のフローチャートを用いて説明する。
【００３０】
無線端末において受信処理開始操作がされると、ステップＳ１０１で、ハンドオーバ制御部２０３は、電力制御部２０４に受信部２０２への電力供給をオンとさせ、放送周波数帯をスキャンして受信品質が設定値以上となる受信周波数を取得する。そして、ハンドオーバ制御部２０３は、取得された受信周波数の受信信号に基づくトランスポートストリームの中のサービス情報（ＳＩ：Ｓｅｒｖｉｃｅ  Ｉｎｆｏｒｍａｔｉｏｎ）からセル情報を取得する。セル情報は、サービス情報の中のネットワーク情報テーブル（ＮＩＴ：Ｎｅｔｗｏｒｋ  Ｉｎｆｏｒｍａｔｉｏｎ  Ｔａｂｌｅ）として提供され、例えば、図５のような構成（親セル情報５０１、５０２、５０３とサブセル情報５０１ａ１、５０１ａ２、５０１ａ３、５０２ａ１、５０２ａ２、５０３ａ１、５０３ａ２、５０３ａ３）で与えられ、各セルのセルＩＤと周波数を含む。
【００３１】
ハンドオーバ制御部２０３は、取得したセル情報からセルリストを作成する。また、ハンドオーバ制御部２０３は、取得したセル情報からセル毎の受信品質履歴を表す受信品質履歴テーブルを作成する。受信品質履歴テーブルの受信品質履歴は、今回の受信品質と前回の受信品質とからなる。例えば、セル情報が図５のような場合、図６Ａのようなセルリストが作成され、図６Ｂのような受信品質履歴テーブルが作成される。
【００３２】
また、ハンドオーバ制御部２０３は、トランスポートストリームの中のＴＰＳ（Ｔｒａｎｓｍｉｓｓｉｏｎ  Ｐａｒａｍｅｔｅｒ  Ｓｉｇｎａｌｉｎｇ）からセルＩＤを取得し、このセルＩＤが表すセルを現行セルとする。
【００３３】
そして、ステップＳ１０２で、ハンドオーバ制御部２０３は、現行セルの受信周波数で指定チャンネルのデータを受信し、受信品質を算出する。
【００３４】
そして、ステップＳ１０３で、ハンドオーバ制御部２０３は、算出された受信品質が設定値以上であるか否か判定し、設定値以上であれば受信品質は良好として（ステップＳ１０３のＹ）、後述するステップＳ１０９の隣接セル受信品質測定処理を行う。そして、ハンドオーバ制御部２０３は、電力制御部２０４に受信部２０２への電力供給をオフとさせ、現行セルは変更しない（ステップＳ１１０）。そして、オフ期間（図３）経過後にハンドオーバ制御部２０３は、電力制御部２０４に受信部２０２への電力供給をオンとさせ、現行セルの受信周波数で指定チャンネルのデータを受信し受信品質を算出する（ステップＳ１０２）。
【００３５】
もし、ステップＳ１０３で、算出された受信品質が設定値より小さければ受信品質は良好でないとして（ステップＳ１０３のＮ）、ステップＳ１０４に進む。ステップＳ１０４で、ハンドオーバ制御部２０３は、受信品質を測定する時間が残りのオフ期間内に収まるか否か判定し、もし収まれば（ステップＳ１０４のＹ）、ステップＳ１０５に進む。
【００３６】
ステップＳ１０５で、ハンドオーバ制御部２０３は、セルリストの先頭のセル（そのセルが現行セルであればその次のセル）を対象セルとし、対象セルの受信周波数でデータ受信を行い受信品質を算出し、対象セルの受信品質を測定する。
【００３７】
そして、ステップＳ１０６で、ハンドオーバ制御部２０３は、算出された受信品質がステップＳ１０２で算出された現行セルの受信品質にヒステリシスを加えた値以上か否かを判定する。ヒステリシスは、電波強度の揺らぎによる頻繁なセル切替えを抑えるために用いられる。もし、現行セルの受信品質にヒステリシスを加えた値より小さければ受信品質が適正レベルでないとして（ステップＳ１０６のＮ）、ステップＳ１０７に進み、ハンドオーバ制御部２０３は、対象セルをセルリストにおける次のセル（そのセルが現行セルであればその次のセル）に変更し、ステップＳ１０４に戻る。
【００３８】
ステップＳ１０６で、算出された受信品質が現行セルの受信品質にヒステリシスを加えた値以上であると判定された場合は受信品質は適正レベルであるとして（ステップＳ１０６のＹ）、ステップＳ１０８に進み、ハンドオーバ制御部２０３は、現行セルを対象セルに変更してハンドオーバを実行する。そして、ハンドオーバ制御部２０３は、電力制御部２０４に受信部２０２への電力供給をオフとさせ、オフ期間経過後にハンドオーバ制御部２０３は、電力制御部２０４に受信部２０２への電力供給をオンとさせ、現行セルの受信周波数で指定チャンネルのデータを受信し受信品質を算出する（ステップＳ１０２）。なお、ステップＳ１０８のハンドオーバ実行後、最初のステップＳ１０５では、セルリストの先頭のセル（そのセルが現行セルであればその次のセル）の受信品質を測定する。
【００３９】
ステップＳ１０４で、受信品質を測定する時間が残りのオフ期間内に収まらないと判定された場合は（ステップＳ１０４のＮ）、ハンドオーバ制御部２０３は、電力制御部２０４に受信部２０２への電力供給をオフとさせ、現行セルは変更せず（ステップＳ１１０）、オフ期間経過後、電力制御部２０４に受信部２０２への電力供給をオンとさせ、現行セルの受信周波数で指定チャンネルのデータを受信し受信品質を算出する（ステップＳ１０２）。なお、この後、ステップＳ１０３でＮであれば、その後の最初のステップＳ１０５では、ステップＳ１０７で変更後の対象セルの受信品質を測定し、一方、ステップＳ１０３でＹであれば、その後の最初のステップＳ１０５では、セルリストの先頭のセル（そのセルが現行セルであればその次のセル）の受信品質を測定する。
【００４０】
ここで、ステップＳ１０９の隣接セル受信品質測定処理について図８を用いて説明する。
【００４１】
隣接セル受信品質測定処理が開始すると、まず、ステップＳ２０１で、ハンドオーバ制御部２０３は、最初の測定であるか、または、現在時刻が後述で決定される測定開始時刻以降であるか、または、測定中フラグがセットされているか、を判定する。そして、いずれにも該当しない場合は（ステップＳ２０１のＮ）、処理を終了する（リターン）。
【００４２】
一方、いずれかに該当する場合は（ステップＳ２０１のＹ）、ステップＳ２０２に進み、ハンドオーバ制御部２０３は、測定中フラグをセットする。
【００４３】
そして、ステップＳ２０３で、ハンドオーバ制御部２０３は、受信品質を測定する時間が残りのオフ期間内に収まるか否か判定し、もし収まれば（ステップＳ２０３のＹ）、ステップＳ２０４に進む。ここで、ハンドオーバ制御部２０３は、セルリストの先頭のセルを対象セルとし、対象セルの受信周波数でデータ受信を行い受信品質を算出し、対象セルの受信品質を測定する。そして、ハンドオーバ制御部２０３は、測定結果を受信品質履歴テーブルにおいて対象セルに対応する今回の受信品質として記憶する。なお、今回の受信品質が既に記憶されている場合は、既に記憶されている今回の受信品質を前回の受信品質として記憶した上で、測定結果を今回の受信品質に記憶する。なお、セルリストの全てのセルの受信品質を測定した後最初のステップＳ２０４での対象セルは、セルリストの先頭のセルとする。
【００４４】
次に、ステップＳ２０５で、ハンドオーバ制御部２０３は、セルリストにおいて対象セルの次のセルが有るか否か判定し、有る場合は（ステップＳ２０５のＹ）、そのセルを新たな対象セルとして対象セルを変更し（ステップＳ２０６）、ステップＳ２０３に戻る。
【００４５】
ステップＳ２０３で、受信品質を測定する時間が残りのオフ期間内に収まらなければ（ステップＳ２０３のＮ）、処理は終了する（リターン）。
【００４６】
ステップＳ２０５で、セルリストにおいて次のセルがなければ（ステップＳ２０５のＮ）、ステップＳ２０７に進み、ハンドオーバ制御部２０３は、測定中フラグをリセットする。そして、ステップＳ２０８の受信品質履歴処理が行われた後、処理は終了する（リターン）。
【００４７】
ここで、ステップＳ２０８の受信品質履歴処理について図９を用いて説明する。
【００４８】
受信品質履歴処理が開始すると、まず、ステップＳ３０１で、ハンドオーバ制御部２０３は、セルリストの全てのセルの受信品質を測定した最初の測定であるか判定する。最初の測定であれば（ステップＳ３０１のＹ）、ステップＳ３０４に進み、ハンドオーバ制御部２０３は測定開始時刻を決定する。ここでは、例えば、現在時刻から所定の経過時間後の時刻を測定開始時刻として決定すればよい。そして、処理は終了する（リターン）。
【００４９】
ステップＳ３０１で最初の測定でなければ（ステップＳ３０１のＮ）、ステップＳ３０２に進む。ここでは、ハンドオーバ制御部２０３は、受信品質履歴テーブルの全てのセル毎について今回の受信品質から前回の受信品質を差し引いた受信品質変化量を求め、求められた各受信品質変化量の各絶対値の平均値を求める。この平均値は無線端末の移動速度を表していると考えることができ、求められた平均値が所定の閾値以上であれば移動速度が速いとして、ハンドオーバ制御部２０３は、現状の測定開始時刻に所定の第１測定間隔時間を加算した時刻を新たな測定開始時刻とする。また、求められた平均値が所定の閾値より小さければ、移動速度が遅いとして、ハンドオーバ制御部２０３は、現状の測定開始時刻に上記第１測定間隔時間よりも長い所定の第２測定間隔時間を加算した時刻を新たな測定開始時刻とする。なお、平均値ではなく、最大値を用いるようにしてもよい。
【００５０】
また、ステップＳ３０２では、次のような方法で測定開始時刻を決定してもよい。まず、ハンドオーバ制御部２０３は、上記平均値を求める。そして、求めた平均値が前回の平均値よりも大きければ、現状の測定間隔時間よりも短くした時間を新たな測定間隔時間として、新たな測定間隔時間を現状の測定開始時刻に加算した時刻を新たな測定開始時刻とする。また、求めた平均値が前回の平均値よりも小さければ、現状の測定間隔時間よりも長くした時間を新たな測定間隔時間として、新たな測定間隔時間を現状の測定開始時刻に加算した時刻を新たな測定開始時刻とする。また、求めた平均値が前回の平均値と同じであれば、現状の測定間隔時間を現状の測定開始時刻に加算した時刻を新たな測定開始時刻とする。なお、初回のステップＳ３０２では、上記平均値を求め、測定間隔時間として所定の初期値を設定し、その初期値を現状の測定開始時刻に加算して新たな測定開始時刻とする。本方法においても、平均値ではなく、最大値を用いるようにしてもよい。
【００５１】
さらに、ステップＳ３０２では、次のような方法で測定開始時刻を決定してもよい。セルの中心には電波送信塔があり、セルの中心を中心とする同一円上の受信品質は同じであり、セルの中心より離れるに従い受信品質は小さくなる。このことから、ハンドオーバ制御部２０３に、受信品質とセル中心からの距離との対応表を予め持たせておき、ステップＳ３０２でハンドオーバ制御部２０３が、受信品質履歴テーブルにおける現行セルの今回の受信品質と上記対応表とからセル中心からの距離を求める。そして、求められた距離の位置がセルの中心付近にあれば、ハンドオーバ制御部２０３は、現状の測定開始時刻に所定の第１測定間隔時間を加算した時刻を新たな測定開始時刻とする。また、求められた距離の位置がセルの縁付近にあれば、ハンドオーバ制御部２０３は、現状の測定開始時刻に上記第１測定間隔時間よりも短い所定の第２測定間隔時間を加算した時刻を新たな測定開始時刻とする。また、求められた距離の位置がセルの中心付近でもセルの縁付近でもなければ、ハンドオーバ制御部２０３は、現状の測定開始時刻に上記第１測定間隔時間と上記第２測定間隔時間との間である所定の第３測定間隔時間を加算した時刻を新たな測定開始時刻とする。
【００５２】
ステップＳ３０２の後、ステップＳ３０３に進み、ハンドオーバ制御部２０３は、セルリストを更新する。ここでは、受信品質履歴テーブルにおいて今回の受信品質から前回の受信品質を差し引いた受信品質変化量のプラス側に大きい順にセルを並び替えることでセルリストを更新する。つまり、近づいていると考えられる送信電波塔のセルの順にセルリストが並び替えられることとなる。ステップＳ３０３でのセルリスト更新後、処理は終了する（リターン）。
【００５３】
なお、ステップＳ２０４での受信品質の測定時にハンドオーバ制御部２０３がデジタル復調できなかった場合、同じセルの次回のステップＳ２０４での受信品質測定を行わないようにし、電力削減を図ってもよい。また、ステップＳ２０４での受信品質の測定時にハンドオーバ制御部２０３がデジタル復調できなかった場合、ステップＳ３０３のセルリスト更新では、デジタル復調できなかったセルをリストの最後に配置するようにし、残りのセルを受信品質変化量のプラス側に大きい順に並べるようにしてもよい。
【００５４】
次に、本発明の効果について図１０を用いて説明する。
【００５５】
図１０上段に示すような移動経路９０１を無線端末が移動する場合を考える。前述した従来の無線端末がＸ地点に到達すると、現行セルＡの受信周波数では受信品質が悪化し、オフ期間に現行セルＡ以外の全てのセルについて受信品質を測定する。受信品質が図１０下段のような分布であるので、セルＢの受信品質が最も高く、現行セルをセルＢに切替える。そして、無線端末がＹ地点に到達すると、現行セルＢの受信周波数では受信品質が悪化し、オフ期間に現行セルＢ以外の全てのセルについて受信品質を測定する。受信品質が図１０下段のような分布であるので、セルＣの受信品質が最も高く、現行セルをセルＣに切替える。
【００５６】
これに対して、本発明の無線端末では、Ｘ地点に到達する前に、各セルの受信品質変化量の比較によりプラス側に最も大きいセルＣが先頭となるようセルリストが更新され、Ｘ地点に到達すると、現行セルＡの受信周波数では受信品質が悪化し、セルリストの先頭であるセルＣの受信品質が適正レベルであることが確認され、現行セルがセルＣに切替えられる。その後、Ｙ地点に到達しても、現行セルＣが切替えられることはない。このように、本発明の無線端末であれば、従来の無線端末のような余分なセル切替え、つまりピンポン効果の発生を抑えることが可能となる。
【００５７】
また、従来の無線端末では、Ｘ地点、Ｙ地点に到達しても、１回のオフ期間で全てのセルの受信品質を測定することができず、現行セルを切替えられないままオフ期間経過後の電波を受信してしまい、データをロスしてしまう可能性もあるが、本発明の無線端末であれば、Ｘ地点に到達したとき、セルリストの先頭にセルＣがあるので、１回のオフ期間内にセルＣの受信品質を測定し受信品質が適正レベルであることが確認でき、現行セルをセルＣに切替えられるので、オフ期間経過後の電波を良好に受信でき、データをロスすることを防げる。
【００５８】
また、本発明の無線端末では、移動速度が速いと推定されれば、測定間隔を短くし、セルリストの更新を早めに行い、１回のオフ期間内でのセル切替えを可能とし、データのロスを抑えている。また、移動速度が遅いと推定されれば、測定間隔を長くし、電力削減を優先させることが可能となる。
【００５９】
なお、前述のようにセル中心からの距離を推定する実施形態の場合は、無線端末がセルの縁付近に位置すると推定されれば、測定間隔を短くし、セルリストの更新を早めに行い、１回のオフ期間内でのセル切替えを可能とし、データのロスを抑えている。また、無線端末がセルの中心付近に位置すると推定されれば、測定間隔を長くし、電力削減を優先させることが可能となる。
【００６０】
以上で説明した実施形態はあくまで本発明を実施するに当たっての一例であり、本発明の趣旨を逸脱しない程度のあらゆる変更が可能である。例えば、ＤＶＢ−Ｈに限ることなく、他の放送技術規格について本発明を適用してもよい。
【図面の簡単な説明】
【００６１】
【図１】は、ＤＶＢ−Ｈにおける無線システムを示す概略図である。
【図２】は、本発明に係る無線端末の概略構成図である。
【図３】は、ＤＶＢ−Ｈにおけるデータ伝送を示す図である。
【図４】は、セルの配置例を示す図である。
【図５】は、セル情報の構成例を示す図である。
【図６Ａ】は、セルリストの作成例を示す図である。
【図６Ｂ】は、受信品質履歴テーブルの作成例を示す図である。
【図７】は、本発明に係る受信処理のフローチャートである。
【図８】は、本発明に係る隣接セル受信品質測定処理のフローチャートである。
【図９】は、本発明に係る受信品質履歴処理のフローチャートである。
【図１０】は、本発明の効果を説明するためのセル配置例、移動経路例および受信品質分布例を示す図である。
【符号の説明】
【００６２】
１０１    サーバ
１０２    ネットワーク
１０３    セル
１０３ａ    親局
１０４    サブセル
１０４ａ    リピータ
１０５    無線端末
２０１    アンテナ
２０２    受信部
２０３    ハンドオーバ制御部
２０４    電力制御部
３０１、３０２、３０３    データ
３０４、３０５    オフ期間
５０１、５０２、５０３    親セル情報
５０１ａ１、５０１ａ２、５０１ａ３    サブセル情報
５０２ａ１、５０２ａ２    サブセル情報
５０３ａ１、５０３ａ２、５０３ａ３    サブセル情報
９０１    移動経路
【図１】
2010074390.tif 000003
【図２】
2010074390.tif 000004
【図３】
2010074390.tif 000005
【図４】
2010074390.tif 000006
【図５】
2010074390.tif 000007
【図６Ａ】
2010074390.tif 000008
【図６Ｂ】
2010074390.tif 000009
【図７】
2010074390.tif 000010
【図８】
2010074390.tif 000011
【図９】
2010074390.tif 000012
【図１０】
2010074390.tif 000013